(57)【特許請求の範囲】
【請求項１】
外壁材にコンクリート系のパネルを使用した住宅の小屋裏の換気構造であって、管の端部の一方がパネルの屋外側表面に設けた開口に、もう一方の端部が小屋裏空間に面するパネルの上端面に設けた開口に連通した通気用管を内蔵した外壁パネルを用いて外壁を構成し、前記外壁パネルが凹凸の外壁表面の模様をつけるための模様面が組み込まれた型枠にコンクリート系素材を打設して製造され、前記外壁パネルに設けられた通気孔の開口部がパネル表面の凹凸模様の凹部に設けられているていることを特徴とする小屋裏の換気構造。
【請求項２】
外壁材にコンクリート系のパネルを使用した住宅の小屋裏の換気構造であって、管の端部の一方がパネルの屋外側表面に設けた開口に、もう一方の端部が小屋裏空間につながっているパネル裏面通気層に面した開口に連通した通気用管を内蔵した外壁パネルを用いて外壁を構成し、前記外壁パネルが凹凸の外壁表面の模様をつけるための模様面が組み込まれた型枠にコンクリート系素材を打設して製造され、前記外壁パネルに設けられた通気孔の開口部がパネル表面の凹凸模様の凹部に設けられていることを特徴とする小屋裏の換気構造。
【請求項３】
パネル屋外側表面の通気開口が勾配屋根の軒先の裏面に取り付けられた軒天材の下方に設けられる請求項１または請求項２に記載の小屋裏の換気構造。
【請求項４】
外壁パネルには複数個の通気孔が設けられる請求項１〜請求項３に記載の小屋裏の換気構造。
【請求項５】
通気孔開口部にはアミ状の部材が取り付けられる請求項１〜請求項４に記載の小屋裏の換気構造。
【発明の詳細な説明】
【技術分野】
【０００１】
本発明は小屋裏の換気構造に関する。
【背景技術】
【０００２】
住宅等の建築物の外壁から外方へ突出した軒部の軒天井部分と外壁との間には隙間が形成されることから、一般には係る隙間を利用して小屋裏への空気の流通を可能とし、小屋裏の換気を行うことが行われている。
【０００３】
例えば特許文献１には外壁と軒天井の接合部に位置する下地桟を外壁に接合するビスが開口部から見えない様にした換気部の構造が開示された。
【０００４】
また特許文献２には小屋裏の換気のために外壁と軒天井部との間に設けられる隙間についてその幅を十分に確保すると共にその隙間からの鳥などの生物等の侵入を有効に防止した軒構造が開示された。
【０００５】
さらに特許文献３には、本件発明と同様のコンクリ−ト系外壁材を用いた住宅において、軒天材と外壁材上面の間に、換気部材を設置することで小屋裏の換気を行なう構造が開示された。
【特許文献１】特開平７−１８９４０２号公報
【特許文献２】特開平５−９８７１６号公報
【特許文献３】実開平６−４２２３号公報
【発明の開示】
【発明が解決しようとする課題】
【０００６】
以上の特許文献１〜特許文献３に示される従来の換気機能を備えた軒先構造にあっては、軒部の軒天井部分と外壁との間に、小屋裏の換気を行うための換気部材が取付けられている。
多くは軒天材の端部見切材の機能と兼用するものであるにせよ、換気を行なうためには、空気が通過する経路を設けなければならず、そのため、複雑な断面の換気部材を用意しさらに取付けるための手間もかかっていた。
【０００７】
また、コンクリ−ト系の比較的厚い外壁材を使用した住宅も近年多く見かけるようになってきているが、材が厚い分、表面に凹凸の大きい模様をつける事ができる利点がある反面、直線状の換気部材だと外壁面に取付けにくくなってしまうという場合もあった。
【０００８】
本発明は以上の従来技術において、必要とされる小屋裏換気量を確保するために複雑な専用の換気部品を用意し、さらに取付けに手間と技術を要する点を改良し、コンクリ−ト系外壁材の厚みを利用し、外壁材自体に換気部材を組み込むことで、複雑な専用換気部材を無くし、施工を簡略化することを目的とする。
【課題を解決するための手段】
【０００９】
以上の課題を達成する本発明の小屋裏の換気構造は、外壁材にコンクリート系のパネルを使用した住宅の小屋裏の換気構造であって、管の端部の一方がパネルの屋外側表面に設けた開口に、もう一方の端部が小屋裏空間に面するパネルの上端面に設けた開口に連通した通気用管を内蔵した外壁パネルを用いて外壁を構成し、前記外壁パネルが凹凸の外壁表面の模様をつけるための模様面が組み込まれた型枠にコンクリート系素材を打設して製造され、前記外壁パネルに設けられた通気孔の開口部がパネル表面の凹凸模様の凹部に設けられているていることを特徴とする。
通気孔開口部がパネル表面の凹凸模様の凹部に設けられる様にすることによって凸部が庇の効果を果たすので風雨の侵入を防止できると共に凸部の陰で通気孔開口部が見え難くなり、美観上も好ましい。
【００１０】
さらに本発明の小屋裏の換気構造は、外壁材にコンクリート系のパネルを使用した住宅の小屋裏の換気構造であって、管の端部の一方がパネルの屋外側表面に設けた開口に、もう一方の端部が小屋裏空間につながっているパネル裏面通気層に面した開口に連通した通気用管を内蔵した外壁パネルを用いて外壁を構成し、前記外壁パネルが凹凸の外壁表面の模様をつけるための模様面が組み込まれた型枠にコンクリート系素材を打設して製造され、前記外壁パネルに設けられた通気孔の開口部がパネル表面の凹凸模様の凹部に設けられていることを特徴とする。
【００１１】
パネル屋外側表面の通気開口が勾配屋根の軒先の裏面に取り付けられた軒天材の下方に設けられる様にしてもよい。
その様にすることによって通気開口からの風雨の侵入を軒天により防ぐことができる。
【００１２】
外壁パネルには複数個の通気孔が設けられるのが好ましい。
その様に通気孔を多数設けることによって小屋裏の換気量を増やすことができると共に各通気孔の開口の大きさを小さくすることができるので、パネル強度の低下を防ぐことができると共に通気孔への虫などの侵入を防ぐことができる。
【００１４】
通気孔開口部にはアミ状の部材が取り付けられることによって虫の侵入を防止でき、かつ風雨の影響を緩和することもできる。
【発明の効果】
【００１５】
本発明の小屋裏の換気構造によれば小屋裏等の屋内内側の換気を行う換気構造を作業性良く配置することができる。
【発明を実施するための最良の形態】
【００１６】
以下に本発明の小屋裏の換気構造及びこれに用いられるコンクリートパネルの製造方法を実施するための最良の形態を説明する。
図１は本発明の実施の形態にかかる小屋裏の換気構造の部分断面図である。
図１に示すように、住宅１の建物外壁面２を構成するコンクリートパネル３の上端は、屋根部４と軒先部５の間の軒先空間６に達している。軒先空間６は、天井面７と屋根部４との間の小屋裏空間８に連通している。
【００１７】
図１に示す外壁材にコンクリート系のパネルを使用した住宅１は、端部の一方がコンクリートパネル３の屋外側表面に設けた開口に、もう一方の端部が小屋裏空間に面するコンクリートパネル３の上端面に設けた開口に連通した通気用管９を内蔵したコンクリートパネル３を用いて外壁を構成している。
【００１８】
図１に示す湾曲形状の通気用管９ａは、コンクリートパネル３の屋外側表面３ａに一の開口部１０ａを備え、屋外側表面３ａに連続する小屋裏空間に面する側面３ｂに他の開口部１０ｂを備え、その両開口部１０ａ−開口部１０ｂ間で通気可能とされてなる。
【００１９】
したがって、このコンクリートパネル３を屋外側表面に配置してなる本実施の形態の建物外壁面２が構築される住宅１には、コンクリートパネル３の通気用管９から小屋裏空間８への換気路が備えられる。
【００２０】
さらに本発明の小屋裏の換気構造の通気用管９としては図１に示す湾曲しない通気用管９ｂを用いることができ、コンクリートパネル３の屋外側表面３ａに一の開口部１０ａを備え、屋外側表面とは反対側の側面３ｃに他の開口部１０ｃを備え、その両開口部１０ａ−開口部１０ｃ間で通気可能とされてなる様にすることができる。
この場合にはコンクリートパネル３の小屋裏空間につながっているパネル裏面通気層ｈと屋外側表面３ａの外側間の通気が通気用管９ｂを介して効率的に行われる。
【００２１】
係る住宅１の建物外壁面２は、予め工場生産されるコンクリートパネル３を工場から現場に搬入し、現場で所定に配置して組み立て施工することによって、容易に構築することができる。その際、換気路Ｆの形成に当たって特段の現場施工は不要であり、施工期間の短縮化を図ることができる。
【００２２】
パネル屋外側表面の開口部１０ａは勾配屋根の軒先５の裏面に取り付けられた軒天材５ａの下方に設けられる。
その様にすることによって通気開口である開口部１０ａからの風雨の侵入を軒天材５ａにより防ぐことができる。
【００２３】
また図３に示す様に通気用管９ａは外壁パネルであるコンクリートパネル３に複数個設けられる。
その様に多数の通気用管９ａを配設することによって小屋裏の換気量を増やすことができると共に各通気用管９ａの開口部１０ａの大きさを小さくすることができるので、コンクリートパネル３の強度の低下を防ぐことができると共に通気用管９ａへの虫などの侵入を防ぐことができる。
【００２４】
また前記コンクリートパネル３は凹凸の外壁表面の模様をつけるための模様面が組み込まれた型枠にコンクリート系素材を打設して製造され、前記通気用管９ａの開口部１０ａがコンクリートパネル３表面の凹凸模様の凹部に設けられる。
その様に通気用管９ａの開口部１０ａがコンクリートパネル３表面の凹凸模様の凹部に設けられる様にすることによって凸部が庇の効果を果たすので風雨の侵入を防止できると共に凸部の陰で通気用管９ａの開口部１０ａが見え難くなり、美観上も好ましい。
【００２５】
尚、図３に示す様に通気用管９の一端には虫除けのための網１１を取り付けることができる。
この様に通気用管９ａの開口部１０ａにはアミ状の部材１１が取り付けられることによって虫の侵入を防止でき、かつ風雨の影響を緩和することもできる。
【００２６】
次に本発明のコンクリートパネル３の製造方法を説明する。
本発明のコンクリートパネル３の製造にあたっては、図２に示す型枠１２を用いることができる。図２に示された本実施の形態で用いるコンクリートパネル３の成形用型枠１２内には模様シート１３が配置されている。模様シート１３は、パネル３の表面に凹状の目地を形成するために型枠１２の短辺方向や長辺方向に連続して設けられた複数の凸条部１４を有している。
【００２７】
図２に示すように、配筋材１５はパネル３の大きさ等に応じて背筋吊り下げ用長ナット１６によって吊り下げた状態で配置される。
以下に係る型枠１２を用いて行われる本実施の形態における軽量気泡コンクリートパネル３の製造方法について説明する。
まず、通気用管９を型枠１２内に配置する。この通気用管９には、軽量気泡コンクリートパネル３の原料と同質の原料を用いることができる。またその両側を開放して湾曲した形状とすることができる。
【００２８】
次に成形するコンクリートパネル３の大きさに応じた型枠１２および模様シート１３を用意する。この模様シート１３の凸条部１４に通気用管９の一端の取り付け用突起１４ａを装着し、この取り付け用突起１４ａに通気用管９の一端を装着して型枠１２内に配置する。
【００２９】
さらに配筋材１５を型枠１２内に吊り下げ背筋吊り下げ用長ナット１６によって吊り下げた状態で支持すると共に、配筋材１５に対して通気用管９を例えば紐体等を用いて固定する。その後、型枠１２内にコンクリートスラリーを打設して軽量気泡コンクリートパネル３を製造する。
【００３０】
このよう製造方法によって、図３に示す様に通気用管９が埋設された軽量気泡コンクリートパネル３を型枠１２内に通気用管９を配置するだけで簡便に製造することができる。
【図面の簡単な説明】
【００３１】
【図１】本発明の一実施の形態の小屋裏の換気構造の部分断面図である。
【図２】本発明の一実施の形態のコンクリートパネルの製造方法に用いられる型枠の断面図である。
【図３】図２に示す型枠を用いて得られるコンクリートパネルの斜視図である。
【符号の説明】
【００３２】
３・・・ＰＡＬＣパネル、９・・・通気用管、８・・・小屋裏空間、Ｆ・・・換気路、１・・・住宅、２・・・建物外壁面、１２・・・型枠。
【図１】
0005043570.tif 000002
【図２】
0005043570.tif 000003
【図３】
0005043570.tif 000004